(57)【要約】【課題】液状化し易い土質の裸地や法面において、遮水と緑化が同時に行える遮水緑化シートを提供する。【解決手段】短繊維不織布によって形成される第１層２と、この下層に撥水性を有する長繊維不織布によって形成される第２層５を備え、前記第１層２と第２層５の間に種子７が保持される遮水緑化シート１であって、前記第１層２は目付量３０〜１００ｇ／ｍ２の短繊維不織布からなり，前記種子７からの芽を透過可能に構成され、前記第２層５の透水係数が１０−６〜１０−４ｃｍ／秒であり，前記種子７からの根を透過可能に構成される。【選択図】図１
2011239682.tif 000002
【特許請求の範囲】
【請求項１】
短繊維不織布によって形成される第１層と、この下層に撥水性を有する長繊維不織布によって形成される第２層を備え、前記第１層と第２層の間に種子が保持される遮水緑化シートであって、前記第１層は目付量３０〜１００ｇ／ｍ２の短繊維不織布からなり，前記種子からの芽を透過可能に構成され、前記第２層の透水係数が１０−６〜１０−４ｃｍ／秒であり，前記種子からの根を透過可能に構成されることを特徴とする遮水緑化シート。
【請求項２】
前記第１層と第２層の間に保水性を有する長繊維不織布によって形成される保水層を有し、前記種子はこの保水層と前記第１層の間に保持され、前記種子からの根を透過可能に構成されることを特徴とする請求項１に記載の遮水緑化シート。
【請求項３】
前記第１層の上表面は、補強ネットで被覆されることを特徴とする請求項１又は請求項２に記載の遮水緑化シート。
【請求項４】
前記第２層の下層に、目付量１０〜１００ｇ／ｍ２の短繊維不織布によって形成される表土保護層を備えることを特徴とする請求項１乃至請求項３のいずれか１項に記載の遮水緑化シート。
【請求項５】
前記第２層は、生分解性の繊維で構成される長繊維不織布であることを特徴とする請求項１乃至請求項４のいずれか１項に記載の遮水緑化シート。
【発明の詳細な説明】
【技術分野】
【０００１】
本発明は、道路建設、農地や宅地造成などによって生じる裸地や法面において、植生定着前に遮水機能を発揮させることで、降雨により液状化する土質や砂質土等の易侵食性土壌を保護しつつ、緑化機能をも併せて持たせることで、緑化を可能として植生定着を促進して裸地や法面の地盤を強化する遮水緑化シートに関する。
【背景技術】
【０００２】
我が国は、過去の火山活動の変成や隆起にともない、シラス、泥岩、砂質土、花崗岩、ローム層等、各種の易侵食性土質や降雨により液状化し易い土質が各地に点在している。
一方、近年は地球の異常気象の影響で局地的にゲリラ型の集中豪雨が発生しており、通常では考えられない土壌においても土砂災害が発生してしまうこともあるのが実状である。
そこで、従来、降雨侵食に対しては相当ハイレベルの機能をもった侵食防止機能を有する資材が開発されている。
例えば、特許文献１には「植生防水シート」という名称で、防水シート本体の一側表面にメッシュ状固定材を固着すると共に、メッシュ状固定材を介して防水シート本体の一側表面に植生培地材を固定し、植生培地材に種子を保持せしめる技術が開示されている。
この植生防水シートにおいては、植生防水シートの表面に植生可能として、これを載置するテントや建物の屋根（屋上）やテラス、法面などを緑化し、省エネと快適な環境等を維持することができる。
【０００３】
また、特許文献２には「遮水シート表面の緑化構造」という名称で、遮水シートの表面を緑化するためにその表面を覆って敷設される植生マットを備える技術が開示されている。また、遮水シートの表面には滑り止め用の突起が設けられており、植生マットのズレを防止することができる。
【０００４】
さらに、特許文献３には「遮水シート被覆法面の緑化構造」という名称で、遮水シートの表面に配置された補強シートと、補強シートの表面に配置された多数のループをなして絡み合うヘチマ構造からなる網状マットと、この網状マットと補強シートを介して遮水シートの表面に堆積保持される植物種子を含む緑化基盤を備える技術が開示されている。
この特許文献３に開示された発明においては、補強シートとその表面に配置される網状マットの上側に緑化基盤を堆積保持させるので、緑化基盤を厚く堆積させても安定して法面に堆積保持させることが可能である。
【先行技術文献】
【特許文献】
【０００５】
【特許文献１】特開２００３−３２５０４７号公報
【特許文献２】特開平１０−１６８８８５号公報
【特許文献３】特開平１１−１９００２７号公報
【発明の概要】
【発明が解決しようとする課題】
【０００６】
しかしながら、特許文献１に開示される発明においては、防水シートの一側表面に固着したメッシュ状固定材を介して植生培地材を固定して、その植生培地材に種子を保持せしめており、この種子は植生培地材内で生育するが、防水シートを貫通してその下の地層等に根を張って育つことができない。従って、その種子から生育する植物は芝生や草花であり、根を張ることで土壌や地盤の強度を改善しながら土砂災害を防止することができるような法面を形成することができないという課題があった技術である。
【０００７】
また、特許文献２に開示される発明においては、法面に設置するような場合も想定されており、遮水シートの表面には植生マットのずれを防止するための突起が設けられているものの、植生マットで生育する植物の根が遮水シートを貫通して法面内に張っていくことは想定していない。従って、豪雨などの場合には植生マットが遮水シートと分離して流されてしまう可能性があり、結局特許文献１に開示される発明のように植物が根を張ることで土壌や地盤の強度を改善しながら土砂災害を防止することができるような法面を形成させることができないという課題があった。
【０００８】
さらに、特許文献３に開示される発明においても、補強マット上に網状マットを配置して、その上に緑化基盤である覆土を設けて、せっかく植物が発芽して根を張ってもその緑化基盤内に留まり、根は補強シートの下側に配置された遮水シートを貫通して延びていくことができないという課題があった。これでは、特許文献１や２に開示される技術と同様に土砂災害を防止することができるような法面を形成することができない。
【０００９】
また、さらに特許文献１乃至３に開示される発明に共通な課題として、土壌や地盤に植物の根が張ることがないことから、これらの発明を法面に施して植物が育つための一定期間が経過したとしても、法面の土壌や地盤に直接根が張らないので、結局土砂災害を防止するために自然の植物の力を発揮させて言わば自力で災害を防止することができない。従って、結局、発明に含まれる防水シートあるいは遮水シートによって地盤に浸透する水を排除することに頼らざるを得ず、防水シートや遮水シートの劣化に伴う交換が必要となる課題があった。
【００１０】
本発明は、上記のような現状を艦みてなされたものであり、液状化し易い土質の裸地や法面において、遮水と緑化が同時に行える遮水緑化シートを提供することを目的とするものである。詳細には、遮水機能としては、大部分の雨の法面等表土への浸透を防ぎつつ、さらに、緑化機能としては、法面等表土をある程度湿潤させる程度の透水係数を有して植生を損なわないようにして、種子の発芽と法面表土への根張りを妨げることなく、定着した植物によって法面がさらに保護され土砂災害を防止することができる遮水緑化シートを提供することを目的とするものである。
【課題を解決するための手段】
【００１１】
上記目的を達成するため請求項１記載の遮水緑化シートは、短繊維不織布によって形成される第１層と、この下層に撥水性を有する長繊維不織布によって形成される第２層を備え、前記第１層と第２層の間に種子が保持される遮水緑化シートであって、前記第１層は目付量３０〜１００ｇ／ｍ２の短繊維不織布からなり，前記種子からの芽を透過可能に構成され、前記第２層の透水係数が１０−６〜１０−４ｃｍ／秒であり，降雨水の浸透を抑制すると共に、前記種子からの根を透過可能に構成されることを特徴とするものである。
このように構成された遮水緑化シートでは、第１層の目付量を３０〜１００ｇ／ｍ２とすることで、必要な排水性能を維持しながら第１層を突き抜けていく種子の発芽を妨げないように作用する。また、第２層の透水係数を１０−６〜１０−４ｃｍ／秒とすることで、大部分の降雨水を遮断しながら種子の根を透過させるように作用する。
なお、本願特許請求の範囲及び明細書において、Ａ〜Ｂとは、Ａ以上Ｂ以下を意味している。また、本願特許請求の範囲及び明細書において、短繊維不織布とは、１００ｍｍ以下の繊維によって形成される不織布をいい、長繊維不織布とは、１００ｍｍより長い繊維によって形成される不織布をいう。
【００１２】
また、請求項２に記載の発明である遮水緑化シートは、請求項１に記載の発明において、  前記第１層と第２層の間に保水性を有する長繊維不織布によって形成される保水層を有し、前記種子はこの保水層と前記第１層の間に保持され、前記種子からの根を透過可能に構成されることを特徴とするものである。
このように構成された遮水緑化シートでは、請求項１に記載の発明における作用に加えて、保水層が水分を保持して発芽と根張りを促進させる作用を有する。
【００１３】
さらに、請求項３に記載の発明である遮水緑化シートは、請求項１又は請求項２に記載の発明において、前記第１層の上表面は、補強ネットで被覆されることを特徴とするものである。
このように構成された遮水緑化シートにおいては、請求項１又は請求項２に記載される発明の作用に加えて、補強ネットが第１層の飛散や荒廃を防止しつつ、さらに種子の飛散をも防止するように作用する。
【００１４】
さらに、請求項４に記載の発明である遮水緑化シートは、請求項１乃至請求項３のいずれか１項に記載の発明において、前記第２層の下層に、目付量１０〜１００ｇ／ｍ２の短繊維不織布によって形成される表土保護層を備えることを特徴とするものである。
このように構成された遮水緑化シートでは、請求項１乃至請求項３のいずれか１項に記載される発明の作用に加えて、表土保護層が短繊維不織布で形成されることから、裸地表土や法面表土との接触面積を大きくしながら表土を覆って保護するように作用する。
【００１５】
さらに、請求項５に記載の発明である遮水緑化シートは、請求項１乃至請求項４のいずれか１項に記載の発明において、前記第２層は、生分解性の繊維で構成される長繊維不織布であることを特徴とするものである。
このように構成された遮水緑化シートにおいては、請求項１乃至請求項４のいずれか１項に記載される発明の作用に加えて、第２層が生分解性の繊維で構成されているので、第２層が経時と共に分解されることで、植物の生育に伴って第２層の法面表土に対する遮水機能の発揮が不必要になりつつある場合に、降雨による水分の供給をより効率的に行うことができるように作用する。その結果、より植物が生育して裸地や法面に根張りし、第２層の生分解が裸地や法面の地盤を強化するように作用する。
【発明の効果】
【００１６】
本願の請求項１記載の発明によれば、遮水機能だけでなく緑化機能をも発揮することができるので、遮水機能によって法面表土を豪雨から保護すると共に、緑化機能によって種子を発芽させて第２層を透過させて裸地表土や法面表土に根を張らせて植物を育成して、裸地や法面の侵食を防止しながら地盤強度を高めることができる。
その結果、裸地や法面における土砂災害を防止することができる。
また、目的の導入種子による緑化が可能となるため、外来種の規制などの環境問題への対応が可能となる。加えて、遮水と緑化が同時に可能となる一体の遮水緑化シートであることから、遮水機能と備えたシートと緑化機能を備えたシートの両方を位置決めしながら敷設する必要がなく、敷設が容易であり経済性にも優れるという有益な効果を発揮することができる。
【００１７】
また、請求項２に記載の発明においては、請求項１記載の発明の効果に加えて、保水性を有する長繊維不織布によって形成される保水層が水分を保持するので、十分な植生環境を構築することができ、種子の発芽と根張りを促進させ、植物を効果的に生育させることが可能である。
【００１８】
請求項３に記載の発明においては、請求項１又は請求項２に記載の発明の効果に加えて、補強ネットが第１層の飛散や荒廃を防止するので遮水緑化シートの長寿命化を促進させることができる。また、種子の飛散も防止するのでより適切な植生環境を保持することができると同時に、目的の導入植物を残存させて外来種の繁殖を予防することが可能である。
【００１９】
請求項４に記載の発明においては、請求項１乃至請求項３のいずれか１項に記載の発明の効果に加えて、表土保護層が表土を覆って保護するので、表土の侵食がより抑制されて、易侵食性土壌を保護しつつ植生定着を促進して裸地や法面の地盤を強化することが可能である。
【００２０】
さらに、特に請求項５に記載の発明においては、請求項１乃至請求項４のいずれか１項に記載の発明の効果に加えて、第２層を構成する生分解性の繊維が経時と共に分解され、降雨による水分の供給が効率的になるため、より緑化が促進され、易侵食性土壌を保護しつつ植生定着を促進して裸地や法面の地盤を強化することが可能である。
【図面の簡単な説明】
【００２１】
【図１】（ａ）は本願発明の実施の形態に係る遮水緑化シートを各層毎に切欠いて模式的に示す平面図であり、（ｂ）は遮水緑化シートの断面を模式的に示す概念図である。
【図２】本願発明の実施の形態に係る遮水緑化シートを供した遮水試験装置を模式的に示す概念図である。
【図３】（ａ）は実施例１における植生状況を示す写真で、（ｂ）は実施例２における植生状況を示す写真で、（ｃ）は比較例１における植生状況を示す写真である。
【発明を実施するための最良の形態】
【００２２】
以下、本発明の実施の形態について図１を参照しながら説明する。
図１（ａ）は本発明の実施の形態に係る遮水緑化シートを各層毎に切欠いて模式的に示す平面図であり、（ｂ）は遮水緑化シートの断面を模式的に示す概念図である。
図１（ａ）、（ｂ）において、遮水緑化シート１は、第１層として補強ネット３で被覆された短繊維不織布２が設けられ、その下層には保水層としての保水シート４が設けられ、さらにその下層には第２層として撥水性の長繊維不織布５が設けられている。
第２層の下層には、表土保護層として、短繊維不織布６が設けられている。
すなわち、遮水緑化シート１は、第１層、保水層、第２層、表土保護層という４層に積層された構造となっている。
このうち、第１層としての短繊維不織布２と保水層としての保水シート４の間に、種子７，肥料８，保水剤９及び土壌改良材等の植生基盤材１０を混合した層が配置されている。なお、植生基盤材１０とは培地のことであり、具体的には、例えばピートモス、鹿沼土、赤玉土及びゼオライト等の土壌改良材あるいはこれらの混合物のことを意味している。この植生基盤材１０は必ずしも必要ではないが、種子７からの発芽や発根あるいはその後の生育を円滑に進めるためには種子７や肥料８、保水剤９と共に混合させて層間に挿入しておくことが望ましい。また、肥料８についても、種子７には発芽あるいは発根するために必要な養分が含まれているため、必ずしも必要ではないが、発芽や発根以後の導入植物の生育を考えれば、含めておいた方が望ましい。
４層への積層は、ニードルパンチ処理によって一体化させることで実施される。図１（ｂ）中の符号１１は、ニードルパンチ処理痕である。このニードルパンチ処理痕１１は処理によって穿設された小さな孔部であり、この小さな孔部は種子７から発根した際には根を貫通させる効果も発揮し得るものである。
【００２３】
長繊維不織布５を構成する撥水性繊維の例としては、ポリエステル繊維や乳酸繊維が望ましいが、他の素材、例えば、アクリル繊維、ポリエチレン繊維、ポリプロピレン繊維等であっても適用可能である。また、短繊維不織布２，６においてもこれらの繊維を用いてもよい。
この短繊維不織布２は、目付量が３０〜１００ｇ／ｍ２であることが望ましいが、この３０ｇ／ｍ２未満の場合には、排水性能が劣り第１層から下層側に降雨水が多量に漏えいしてしまい、第２層の長繊維不織布５に対する排水機能の負担が大きくなってしまう。また、１００ｇ／ｍ２を超える場合には、導入される種子７の発芽貫通性に影響を与え、発芽による芽が短繊維不織布２を貫通することができないため、導入された種子７が生育しない。
なお、第１層としての短繊維不織布２の下側に種子７，肥料８，保水剤９及び土壌改良材等の植生基盤材１０が配置されていることから、この短繊維不織布２は種子７、肥料８、保水剤９あるいは植生基盤材１０の飛散を防止する効果を発揮している。
【００２４】
ここで、第１層の短繊維不織布２を覆う補強ネット３は、必ずしも必要ではないものの、補強ネット３で短繊維不織布２を覆うことで、短繊維不織布２自体の飛散や荒廃を防止することが可能であり、遮水緑化シート１を長寿命化させる場合には備えることが望ましい。
また、本実施の形態では、保水層として保水シート４を設けているが、この保水シート４を設けない場合には、種子７、肥料８、保水剤９及び植生基盤材１０は、第１層としての短繊維不織布２と第２層としての長繊維不織布５の間に配置するとよい。保水シート４を設けることで降雨等による水分を保持して種子７の発芽に寄与することが可能であるが、これがなくとも保水剤９を備えているので、水分の保持は可能である。しかしながら、長繊維不織布５は撥水性で降雨水をそのまま流すように構成されているため、乾燥地域等では種子７の発芽に寄与する水分が十分でない可能性があり、保水シート４を用いて種子７の発芽に十分な水分を供給してやることが望ましい。なお、この保水シート４の保水性は、綿不織布の保水性が目安となる。
【００２５】
次に、第２層としての長繊維不織布５であるが、透水係数が１０−６〜１０−４ｃｍ／秒であり、降雨水の浸透が抑制され、植生に必要な量だけの水分が下層に供給され導入種子７の生育が可能となっている。透水係数が１０−４ｃｍ／秒よりも大きい場合にはほとんどの降雨水が浸透し、裸地や法面への影響がでるが、１０−６ｃｍ／秒より小さい場合には、ほとんど降雨水が浸透せず植生が悪くなってしまうのである。
もちろん、その前提として、種子７からの根が透過可能でなければ遮水緑化シート１の下側の裸地や地盤での根張りができないため、種子７の根を透過可能に構成されている。具体的には、透水係数が１０−６〜１０−４ｃｍ／秒であるような場合には、目付量は３０〜１００ｇ／ｍ２程度であり、この範囲であれば種子７の根は長繊維不織布５を貫通可能である。なお、１０−６〜１０−４ｃｍ／秒の透水係数は、真砂土の透水性が目安となる。
なお、この長繊維不織布５を生分解性の繊維で構成してもよい。
【００２６】
第２層を構成する長繊維不織布５を生分解性の繊維で構成することで、経時と共に分解され、導入された種子７の植生が十分に育成され、植物根による裸地や法面の表土の保護が十分になった後に消滅すれば、降雨による水分の供給が効率的になると同時に、導入植物の養生も容易となる。また、見た目も美しく、より緑化が促進され、易侵食性土壌を保護しつつ植生定着を促進して裸地や法面の地盤を強化することが可能である。
【００２７】
最後に、第２層としての長繊維不織布５の下層となる表土保護層は、必ずしも必要ではないものの、この表土保護層は短繊維不織布６で形成されることから、裸地表土や法面表土との接触面積を大きくしながら表土を覆って保護するように作用する。従って、表土の侵食が抑制されて、易侵食性土壌を保護しながら植生定着を促進して裸地や法面の地盤を強化することが可能である。
なお、この短繊維不織布６は、短繊維不織布２よりも低めの範囲も含めて目付量が１０〜１００ｇ／ｍ２であるが、短繊維不織布６は第２層である長繊維不織布５の下層に配置されるものであり、既に降雨水の浸透が抑制されているので、排水性能が強く求められるものでもないが、短繊維不織布２よりも低めの１０ｇ／ｍ２以上であればよいという意味である。また、導入種子７の根が裸地や法面の地盤に根張りするためには、短繊維不織布６をも貫通させる必要があることから、１００ｇ／ｍ２を超えないようにしておく必要がある。これより大きな目付量の場合には、根が表土に向かって貫通することができないため、植生が定着しないのである。
なお、第１層としての短繊維不織布２及び表土保護層としての短繊維不織布６の性質については限定するものではないが、撥水性を備えるものでもよい。
【００２８】
以上のように構成される本実施の形態に係る遮水緑化シート１においては、第２層としての長繊維不織布５が、遮水機能を発揮して、豪雨などの際にも遮水緑化シート１の下方に存在する法面や裸地の液状化を抑制することができる。しかも、保水層としての保水シート４や植生基盤材としての保水剤９によって降雨水の一部が保持されることで、導入された種子７の発芽を促進させることができる。
しかも、種子７の上層側に配置される第１層としての短繊維不織布２は、その目付量を制御することで、種子７の発芽を妨げることなく芽は短繊維不織布２を突き抜けて生育することが可能であり、また、種子７の下層側に配置される保水シート４はもちろんのこと、長繊維不織布５においてもその目付量から種子７から延びる根の貫通を抑制することがないので、遮水緑化シート１の下方の裸地や法面に導入された種子７の植生を十分に可能としている。
すなわち、遮水緑化シート１は、遮水機能に加えて緑化機能を備えていることから、遮水緑化シート１を施工した直後から植物根による緊縛力や遮水層が形成されるまでの一定期間、遮水機能を発揮させて裸地や法面の侵食を防止して地盤強度を保持しつつ、その一方で導入植物の種子７の発芽を促して、十分な植物根が得られる一定期間の経過後には、その導入植物の植物根による緊縛力や遮水層が形成されることで地盤強度を保持することが可能である。
従って、植物の植生を良好に維持することで遮水機能が低下しても、植物の根張りによる裸地や法面の保護を図ることができる。
また、種子７を目的の導入種子とすることが可能であるので、外来種の規制などの環境問題への対応も可能である。
遮水緑化シート１を法面や裸地へ施工することで、遮水シートと緑化シートの２種類を、位置決めしながら施工する必要がなく、敷設が容易でコストも低減することができる。
【００２９】
また、保水層として保水シート４を備えることで、保水剤９のみでは保持し難い水分を補給することも可能であり、乾燥地域においても十分な植生環境を構築することが可能である。
第１層としての短繊維不織布２のみでは、それが短繊維の不織布であることもあって、飛散することも考えられるが、短繊維不織布２を補強ネット３で覆うことで、その飛散を防止し、短繊維不織布２の下側に存在する導入目的の種子７の飛散をも防止することができるので、適切な植生環境を保持する効果をも発揮するのである。また、長期間に亘る設置による短繊維不織布２の荒廃の予防にもなる。
さらに、補強ネット３は遮水緑化シート１全体の強度の向上を図ることも可能であり、遮水緑化シート１の長寿命化を可能としている。
本実施の形態に係る遮水緑化シート１の最下層の表土保護層として短繊維不織布６が設けられているが、この短繊維不織布６を配置することで、裸地表土や法面表土との接触を良好にして表土を保護する効果を備えている。また、土の侵食が抑制されて、易侵食性土壌を保護しながら植生定着を促進して裸地や法面の地盤を強化することが可能である。
【００３０】
以下、図２及び図３を参照しながら、本発明を、実施例を用いてより具体的に説明する。なお、本願発明は、以下の実施例の例示によって制限されるものではない。
また、以下の実施例、比較例中の各特性値は、以下のような方法にて求めた。
【００３１】
（１）透水係数（ｃｍ／秒）
ＪＩＳ  Ａ  １２１８に準拠して測定した。
（２）目付量（ｇ／ｍ２）
標準状態の試料から縦１０ｃｍ×横１０ｃｍの試料片各１０点を作成し、各試料片の質量（ｇ）を秤量し、得られた値の平均値を単位面積当りに換算して目付量（ｇ／ｍ２）とした。
（３）植物種子発芽状況
遮水緑化シートを圃場法面に敷設し、２ヶ月後に発芽状況を観察し、以下の基準で判定した。
◎：全体の７割以上が発芽し、順調に生育している。
○：全体の３割以上が発芽し、順調に生育している。
△：全体の３割未満が発芽し、順調に生育している。
×：発芽が全く見られない。
【００３２】
（４）遮水効果
遮水効果は、図２に示される遮水試験装置を用いて判定した。
遮水試験装置は、真砂土を敷き詰めたボックスを表土模擬層１３として設け、その表面に遮水緑化シート１を敷設して、上方から放出される流水１２を用いて遮水の程度を判定可能とするものである。遮水の判定は、流水試験の前後の遮水状況を比較することで行い、遮水状態を以下の基準で判定した。
◎：水の流出なし。
○：僅かに水の流出が見られるが遮水効果は十分ある。
△：水の流出が見られ、遮水効果は低い。
×：遮水効果が全く見られない。
【実施例１】
【００３３】
実施例１に係る遮水緑化シートとして、以下のような遮水緑化シートを試作した。
撥水性の短繊維として平均繊度５デシテックスのポリエステルを使用した。サーマルボンディング法により、ファイバーウェブシート（目付量：４５ｇ／ｍ２）を製造し、第１層としての短繊維不織布を得た。
【００３４】
保水層としては、保水性ある長繊維不織布を使用した。
【００３５】
第２層として透水係数が２×１０−５ｃｍ／秒の撥水性の長繊維不織布を使用した。
【００３６】
表土保護層として平均繊度５デシテックスのポリエステル短繊維を、サーマルボンディング法により、ファイバーウェブシート（目付量：３０ｇ／ｍ２）に加工し、短繊維不織布を得た。
【００３７】
これら第１層、保水層、第２層及び表土保護層を重ね、第１層と、保水層の間に計画緑化の為の種子，肥料，保水剤を装着した。その後、ニードルパンチ処理を施して４層を一体化して、実施例１の遮水緑化シートを得た。
【００３８】
このシートを圃場の法面及び遮水試験装置に敷設して、種子発芽状況と遮水効果とを試験した。その結果を表１に示す。表１は実施例１及び以下に説明する実施例２，３、比較例１，２の遮水緑化シートを用いた場合の遮水試験結果とそれを用いた場合の植生状況を比較して示すものである。
【実施例２】
【００３９】
保水層を省略して除き、それ以外は、実施例１と同様にして、実施例２の遮水緑化シートを得た。
同様に、このシートを圃場の法面及び遮水試験装置に敷設して、種子発芽状況と遮水効果とを試験した。その結果を表１に示す。 
【実施例３】
【００４０】
表面保護層を省略して除き、それ以外は実施例１と同様にして、実施例３の遮水緑化シートを得た。
同様に、このシートを圃場の法面及び遮水試験装置に敷設して、種子発芽状況と遮水効果とを試験した。その結果を表１に示す。 
【００４１】
（比較例１）
第２層として透水係数が３×１０−７ｃｍ／秒の長繊維不織布を使用した。それ以外は実施例１と同様にして、比較例１の遮水緑化シートを得た。
同様に、このシートを圃場の法面及び遮水試験装置に敷設して、種子発芽状況と遮水効果とを試験した。その結果を表１に示す。 
【００４２】
（比較例２）
第２層として透水係数が５×１０−３ｃｍ／秒の長繊維不織布を使用した。それ以外は実施例１と同様にして、比較例２の遮水緑化シートを得た。
同様に、このシートを圃場の法面及び遮水試験装置に敷設して、種子発芽状況と遮水効果とを試験した。その結果を表１に示す。 
【００４３】
【表１】
2011239682.tif 000003
【００４４】
上記の通り、本発明に係る実施例１〜３は遮水及び緑化の性能を兼ね備えたものであり、その中でも実施例１は特に良好であった。これに対し、比較例２は遮水機能の発揮による効果が薄く、比較例１は緑化機能の発揮による効果が薄いという結果となった。
なお、表中の写真１〜３については、図３（ａ）乃至（ｃ）にそれぞれ示す。
【産業上の利用可能性】
【００４５】
本発明によれば、遮水機能だけでなく緑化機能も有した遮水緑化シートが得られるので、法面や裸地の表土を保護する事業全般への適用が可能であり、さらには、目的の導入種子による緑化が可能となるため、外来種の規制などの環境問題への対応を要求される事業においても適用が可能である。
【符号の説明】
【００４６】
１…遮水緑化シート  ２…短繊維不織布  ３…補強ネット  ４…保水シート  ５…長繊維不織布  ６…短繊維不織布  ７…種子  ８…肥料  ９…保水剤  １０…植生基盤材  １１…ニードルパンチ処理痕  １２…流水  １３…表土模擬層
【図１】
2011239682.tif 000004
【図２】
2011239682.tif 000005
【図３】
2011239682.tif 000006
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
長さが１００ｍｍ以下の短繊維不織布によって形成される第１層と、この下層に撥水性を有する，長さが１００ｍｍより長い長繊維不織布によって形成される第２層を備え、前記第１層と第２層の間に種子が保持される遮水緑化シートであって、前記第１層は目付量３０〜１００ｇ／ｍ２で長さが１００ｍｍ以下の短繊維不織布からなり，前記種子からの芽を透過可能に構成され、前記第２層の透水係数が１０−６〜１０−４ｃｍ／秒であり，前記種子からの根を透過可能に構成されることを特徴とする遮水緑化シート。
【請求項２】
前記第１層と第２層の間に保水性を有する，長さが１００ｍｍより長い長繊維不織布によって形成される保水層を有し、前記種子はこの保水層と前記第１層の間に保持され、前記種子からの根を透過可能に構成されることを特徴とする請求項１に記載の遮水緑化シート。
【請求項３】
前記第１層の上表面は、補強ネットで被覆されることを特徴とする請求項１又は請求項２に記載の遮水緑化シート。
【請求項４】
前記第２層の下層に、目付量１０〜１００ｇ／ｍ２で長さが１００ｍｍ以下の短繊維不織布によって形成される表土保護層を備えることを特徴とする請求項１乃至請求項３のいずれか１項に記載の遮水緑化シート。
【請求項５】
前記第２層は、生分解性の繊維で構成される，長さが１００ｍｍより長い長繊維不織布であることを特徴とする請求項１乃至請求項４のいずれか１項に記載の遮水緑化シート。
【手続補正２】
【補正対象書類名】明細書
【補正対象項目名】００１１
【補正方法】変更
【補正の内容】
【００１１】
上記目的を達成するため請求項１記載の遮水緑化シートは、長さが１００ｍｍ以下の短繊維不織布によって形成される第１層と、この下層に撥水性を有する，長さが１００ｍｍより長い長繊維不織布によって形成される第２層を備え、前記第１層と第２層の間に種子が保持される遮水緑化シートであって、前記第１層は目付量３０〜１００ｇ／ｍ２で長さが１００ｍｍ以下の短繊維不織布からなり，前記種子からの芽を透過可能に構成され、前記第２層の透水係数が１０−６〜１０−４ｃｍ／秒であり，降雨水の浸透を抑制すると共に、前記種子からの根を透過可能に構成されることを特徴とするものである。
このように構成された遮水緑化シートでは、第１層の目付量を３０〜１００ｇ／ｍ２とすることで、必要な排水性能を維持しながら第１層を突き抜けていく種子の発芽を妨げないように作用する。また、第２層の透水係数を１０−６〜１０−４ｃｍ／秒とすることで、大部分の降雨水を遮断しながら種子の根を透過させるように作用する。
なお、本願特許請求の範囲及び明細書において、Ａ〜Ｂとは、Ａ以上Ｂ以下を意味している。また、本願特許請求の範囲及び明細書において、短繊維不織布とは、１００ｍｍ以下の繊維によって形成される不織布をいい、長繊維不織布とは、１００ｍｍより長い繊維によって形成される不織布をいう。
【手続補正３】
【補正対象書類名】明細書
【補正対象項目名】００１２
【補正方法】変更
【補正の内容】
【００１２】
また、請求項２に記載の発明である遮水緑化シートは、請求項１に記載の発明において、  前記第１層と第２層の間に保水性を有する，長さが１００ｍｍより長い長繊維不織布によって形成される保水層を有し、前記種子はこの保水層と前記第１層の間に保持され、前記種子からの根を透過可能に構成されることを特徴とするものである。
このように構成された遮水緑化シートでは、請求項１に記載の発明における作用に加えて、保水層が水分を保持して発芽と根張りを促進させる作用を有する。
【手続補正４】
【補正対象書類名】明細書
【補正対象項目名】００１４
【補正方法】変更
【補正の内容】
【００１４】
さらに、請求項４に記載の発明である遮水緑化シートは、請求項１乃至請求項３のいずれか１項に記載の発明において、前記第２層の下層に、目付量１０〜１００ｇ／ｍ２で長さが１００ｍｍ以下の短繊維不織布によって形成される表土保護層を備えることを特徴とするものである。
このように構成された遮水緑化シートでは、請求項１乃至請求項３のいずれか１項に記載される発明の作用に加えて、表土保護層が短繊維不織布で形成されることから、裸地表土や法面表土との接触面積を大きくしながら表土を覆って保護するように作用する。
【手続補正５】
【補正対象書類名】明細書
【補正対象項目名】００１５
【補正方法】変更
【補正の内容】
【００１５】
さらに、請求項５に記載の発明である遮水緑化シートは、請求項１乃至請求項４のいずれか１項に記載の発明において、前記第２層は、生分解性の繊維で構成される，長さが１００ｍｍより長い長繊維不織布であることを特徴とするものである。
このように構成された遮水緑化シートにおいては、請求項１乃至請求項４のいずれか１項に記載される発明の作用に加えて、第２層が生分解性の繊維で構成されているので、第２層が経時と共に分解されることで、植物の生育に伴って第２層の法面表土に対する遮水機能の発揮が不必要になりつつある場合に、降雨による水分の供給をより効率的に行うことができるように作用する。その結果、より植物が生育して裸地や法面に根張りし、第２層の生分解が裸地や法面の地盤を強化するように作用する。